(57)【要約】【課題】    施工作業性が良好で、既設の宅内集水配管経路に用いて好適な住宅用雨水貯留システムを提供する。【解決手段】  宅地１４内の住宅１３の周囲に設けられて、住宅１３の屋根部１５へ降雨した雨水を、縦樋１９を介して個別雨水マス１６を連結する宅内集水経路１２に集水し、宅内集水経路１２から流下する雨水をマス流入口１７ａから宅地内最終雨水マス１７内へ導くと共に、マス排出口１７ｂから、公共下水に排水する住宅用雨水貯留システムである。  宅地内最終雨水マス１７内には、マス排出口１７ｂに設けられて、オーバーフロー流入口３１ａを、マス排出口１７ｂよりも上方位置に設けることにより、宅地内最終雨水マス１７内及び宅内集水経路１２内に、雨水を一定量貯留可能とするエルボ継手部材３０を設けた。【選択図】図１
2006063761.tif 000002
【特許請求の範囲】
【請求項１】
宅地内の建物の周囲に設けられて、建物の屋根部へ降雨した雨水を、縦樋を介して個別
雨水マスを連結する宅内集水経路に集水し、該宅内集水経路から流下する雨水をマス流入
口から宅地内最終マス内へ導くと共に、該宅内最終マスのマス排出口から、公共下水に排
水する住宅用雨水貯留システムであって、
前記宅内最終マス内には、前記マス排出口に設けられて、そのオーバーフロー流入口を
該マス排出口よりも上方位置に位置させることにより、該宅内最終マス内及び前記宅内集
水経路内に、雨水を一定量貯留可能なオーバーフロー部材を装着することを特徴とする住
宅用雨水貯留システム。
【請求項２】
前記オーバーフロー部材は、前記マス排出口に装脱着可能に設けられて、オリフィスを
前記マス排出口高さに適合させて形成した継手形状部材から構成されていることを特徴と
する請求項１記載の住宅用雨水貯留システム。
【請求項３】
前記オーバーフロー部材の外側面には、オリフィス形成位置の周縁に、交雑物の付着を
防止する凸部が形成されていることを特徴とする請求項２記載の住宅用雨水貯留システム
。
【請求項４】
前記オリフィスに挿通される清掃用針金部材を設けてなることを特徴とする請求項２又
は３記載の住宅用雨水貯留システム。
【請求項５】
前記オーバーフロー部材のオーバーフロー流入口には、上端縁の高さ方向位置を変更す
ることにより、前記宅内最終マス内及び前記宅内集水経路内の貯留量を調整するオーバー
フロー位置調整手段が設けられていることを特徴とする請求項１乃至４のうち何れか一項
記載の住宅用雨水貯留システム。
【請求項６】
前記オーバーフロー部材をフレキシブル管体を用いて構成することを特徴とする請求項
１乃至４のうち何れか一項記載の住宅用雨水貯留システム。
【発明の詳細な説明】
【技術分野】
【０００１】
この発明は、降雨時に、河川や下水道施設への負荷を低減させる住宅用雨水貯留システ
ムに関するものである。
【背景技術】
【０００２】
従来、図２９に示すような住宅用雨水貯留装置が、知られている（例えば、特許文献１
等参照）。
【０００３】
まず、構成から説明すると、この従来の住宅用雨水貯留装置では、建物１の屋根部２の
軒先側３に設けられた軒樋４には、縦樋５が接続されている。
【０００４】
この縦樋５は、地中６に埋設された管体７に接続されている。
【０００５】
この管体７の外周面には、複数の細かい細孔８…が穿設されている。
【０００６】
また、この管体７の周囲には、網部材９ａで周囲を覆われて、略直方体形状を呈する筒
体９が設けられている。
【０００７】
この筒体９には、前記管体７と前記網部材９ａとの間に、黒曜石パーライト１０…が、
充填されている。
【０００８】
この黒曜石パーライト１０…は、前記細孔８…の内径及び網部材９ａの網目よりも大き
な径を呈した中空球状を呈し、この筒体９を貯水体としている。
【０００９】
そして、前記管体７の先端には、この筒体９の上面位置よりも高い位置に開口するオ
ーバーフロー管１１が接続されている。
【００１０】
次に、この従来の住宅用雨水貯留装置の作用について説明する。
【００１１】
このように構成された従来の住宅用雨水貯留装置では、前記建物１の屋根部２に降った
雨水３は、軒樋４を介して、縦樋５に集められて、この縦樋５内を建物１の外壁部に沿っ
て流下する。
【００１２】
前記縦樋５内を流下した雨水は、前記管体７の細孔８…から浸出して、筒体９内部に一
時貯留される。
【００１３】
このため、一度に大量の雨が降っても、建物１が設けられている宅内に一時貯留されて
、河川や下水道施設等の豪雨による急激な増水を緩和することができる。
【００１４】
また、前記筒体９内に貯留しきれない雨水は、前記オーバーフロー管１１から排出され
る。
【特許文献１】特開昭６２−２０６１２９号公報（図１，図２）
【発明の開示】
【発明が解決しようとする課題】
【００１５】
しかしながら、このような従来の住宅用雨水貯留装置では、建物１の周囲に、既設の宅
内集水配管経路が存在する場合には、全ての経路の集水装置に代えて、前記筒体９…等を
埋設しなければならず、交換施工作業が困難であるといった問題があった。
【００１６】
また、前記オーバーフロー管１１も、地中６に埋設されているので、貯水量を調整する
ために、オーバーフロー高さを変更する場合、地面を掘り返さなければならないといった
問題もあった。
【００１７】
そこで、この発明は、施工作業性が良好で、既設の宅内集水配管経路に用いて好適な住
宅用雨水貯留システムを提供することを課題としている。
【課題を解決するための手段】
【００１８】
上記目的を達成するために、請求項１に記載された発明では、宅地内の建物の周囲に設
けられて、建物の屋根部へ降雨した雨水を、縦樋を介して個別雨水マスを連結する宅内集
水経路に集水し、該宅内集水経路から流下する雨水をマス流入口から宅地内最終マス内へ
導くと共に、該宅内最終マスのマス排出口から、公共下水に排水する住宅用雨水貯留シス
テムであって、前記宅内最終マス内には、前記マス排出口に設けられて、そのオーバーフ
ロー流入口を該マス排出口よりも上方位置に位置させることにより、該宅内最終マス内及
び前記宅内集水経路内に、雨水を一定量貯留可能なオーバーフロー部材を有する住宅用雨
水貯留システムを特徴としている。
【００１９】
また、請求項２に記載されたものは、前記オーバーフロー部材は、前記マス排出口に装
脱着可能に設けられて、オリフィスを前記マス排出口高さに適合させて形成した継手形状
部材から構成されている請求項１記載の住宅用雨水貯留システムを特徴としている。
【００２０】
更に、請求項３に記載されたものは、前記オーバーフロー部材の外側面には、オリフィ
ス形成位置の周縁に、交雑物の付着を防止する凸部が形成されている請求項２記載の住宅
用雨水貯留システムを特徴としている。
【００２１】
また、請求項４に記載されたものは、前記オリフィスに挿通される清掃用針金部材を設
けてなる請求項２又は３記載の住宅用雨水貯留システムを特徴としている。
【００２２】
更に、請求項５に記載されたものは、前記オーバーフロー部材のオーバーフロー流入口
には、上端縁の高さ方向位置を変更することにより、前記宅内最終マス内及び前記宅内集
水経路内の貯留量を調整するオーバーフロー位置調整手段が設けられている請求項１乃至
４のうち何れか一項記載の住宅用雨水貯留システムを特徴としている。
【００２３】
そして、請求項６に記載されたものは、前記オーバーフロー部材をフレキシブル管体を
用いて構成する請求項１乃至４のうち何れか一項記載の住宅用雨水貯留システムを特徴と
している。
【発明の効果】
【００２４】
このように構成された本願発明の請求項１記載のものは、前記宅内最終マス内に設けら
れた前記オーバーフロー部材のオーバーフロー流入口が、該宅内最終マスのマス排出口よ
りも上方位置に設けられている。
【００２５】
このため、該宅内最終マス内及び前記宅内集水経路内に、雨水が一定量貯留されて、宅
内に一時貯留されることとなり、河川や下水道施設等の豪雨による急激な増水を緩和する
ことができる。
【００２６】
該オーバーフロー部材は、前記マス排出口に装着されればよいので、既設の宅内集水配
管経路に用いる場合にも、前記宅内最終マス内の１カ所のみに用いればよい。
【００２７】
このため、従来の様に、地面を掘り返す必要が無く、施工作業性が良好である。
【００２８】
また、請求項２に記載されたものは、前記オーバーフロー部材が、前記マス排出口に装
脱着可能に設けられて、オリフィスを前記マス排出口高さに適合させて形成した継手形状
部材によって構成されている。
【００２９】
このため、安価に前記オーバーフロー部材が、構成出来ると共に、メンテナンスの際に
も、該オーバーフロー部材を前記マス排出口から取り外して、該宅内最終マス内及び該オ
ーバーフロー部材の清掃等を容易に行える。
【００３０】
従って、メンテナンス性が良好である。
【００３１】
更に、請求項３に記載されたものは、前記オーバーフロー部材の外側面に形成された凸
部によって、交雑物が、付着しにくい。
【００３２】
また、交雑物が前記オリフィスの外側に付着しても、該交雑物と、該オリフィス周縁と
の間に間隙が形成される。
【００３３】
このため、該オリフィスの通水機能は損なわれる事無く、長期間、継続して使用出来る
ので、この点においても、メンテナンス性が良好である。
【００３４】
また、請求項４に記載されたものは、前記オリフィスに挿通される清掃用針金部材が設
けられているので、上方から該清掃用針金部材を、前記オリフィス内に挿抜して、前記オ
リフィスの外側に付着した交雑物を落下させて除去することができる。
【００３５】
このため、更に、メンテナンス性が良好である。
【００３６】
更に、請求項５に記載されたものは、前記オーバーフロー部材のオーバーフロー流入口
に設けられたオーバーフロー位置調整手段によって、上端縁の高さ方向位置が変更される
と、前記宅内最終マス内及び前記宅内集水経路内の貯留量を決定する水位が、該上端縁の
高さ方向位置に合わせて、上，下して、貯留量を容易に調整することができる。
【００３７】
このため、既存の宅内集水配管経路に対する適合性が良好である。
【００３８】
そして、請求項６に記載されたものは、前記オーバーフロー部材が、フレキシブル管体
を用いて構成されているので、既存の宅内最終マスの形状や寸法に合わせて、該オーバー
フロー部材の形状を変形させて、用いることができる。
【発明を実施するための最良の形態】
【００３９】
次に、図面に基づいて、この発明を実施するための最良の実施の形態の住宅用雨水貯留
システムを説明する。
【００４０】
なお、前記従来例と同一乃至均等な部分については同一符号を付して説明する。
【００４１】
図１乃至図２８は、この発明の実施の形態の住宅用雨水貯留システムを説明するもので
ある。
【００４２】
まず、構成を説明すると、この発明の実施の形態では、図２，図３に示すような建物と
しての住宅１３が、宅地１４内に設けられている。この住宅１３の周囲には、宅内集水経
路１２の一部を構成する雨水用埋設配管としての塩ビ配管１８…等が、予め埋設されて設
けられている。
【００４３】
また、この宅内集水経路１２には、宅地１４内に間隔を置いて埋設されて、前記住宅１
３の屋根部１５へ降雨した雨水を、縦樋１９…を介して、各々集水する個別雨水マス１６
…が、複数設けられている。
【００４４】
そして、一定の勾配が与えられて埋設された前記塩ビ配管１８…によって、これらの個
別雨水マス１６，１６間及びこれらの個別雨水マス１６…と、宅内最終マスとしての宅地
内最終雨水マス１７間とが接続されることにより、前記宅内集水経路１２から流下する雨
水を、宅地内最終雨水マス１７に形成された前記塩ビ配管１８が接続されるマス流入口１
７ａから、この宅地内最終雨水マス１７内に導くように構成されている。
【００４５】
更に、この宅地内最終雨水マス１７のマス排出口１７ｂには、道路２０に埋設される公
共用雨水マス２１と連結される塩ビ排水管２３が、接続されている。
【００４６】
そして、この公共用雨水マス２１は、排水管２４を介して、雨水本管２２と接続されて
いて、前記宅地内最終雨水マス１７のマス排出口１７ｂから流下した雨水が、放流可能と
なるように構成されている。
【実施例１】
【００４７】
図１は、この発明の実施の形態の実施例１の住宅用雨水貯留システムの宅地内最終雨水
マス１７を示すものである。
【００４８】
まず、構成から説明すると、この実施例１の宅地内最終雨水マス１７（ポリプロピレン
樹脂製）は、有底略円筒形状を呈して、上面に、蓋体２５を装着する開口部１７ｅが形成
されたマス本体１７ｃを有している。
【００４９】
このマス本体１７ｃの側面部１７ｄには、マス流入口１７ａが、少なくとも１つ形成さ
れている。
【００５０】
このマス流入口１７ａには、前記宅内集水経路１２側の塩ビ配管１８の先端１８ａが、
周縁に設けられたシールパッキン材２６を介して挿通されて接続されている。
【００５１】
また、この側面部１７ｄには、前記マス流入口１７ａと略同じ高さ方向位置に、マス排
水口１７ｂが、形成されている。
【００５２】
このマス排水口１７ｂには、前記塩ビ排水管２３の基端２３ａが、周縁に設けられたシ
ールパッキン材２６を介して挿通されて接続されている。
【００５３】
そして、このマス排水口１７ｂから、マス本体１７ｃ内部空間に突設される前記基端２
３ａには、オーバーフロー部材としてのエルボ継手部材３０の排水側受口部３０ａが外嵌
されて、この宅地内最終雨水マス１７内に位置するように設けられている。
【００５４】
このエルボ継手部材３０は、配管の端縁同士を接続するエルボ継手部材と略同様の形状
を呈する継手形状部材であり、この排水側受口部３０ａの軸方向と、略直交する方向に軸
方向を有して、上方に向けて開口する入水側受口部３０ｂが、一体に屈曲連設されている
。
【００５５】
この入水側受口部３０ｂには、円筒形状のオーバーフロー管体３１が、内嵌されて装着
されている。
【００５６】
このオーバーフロー管体３１は、上側開口であるオーバーフロー流入口３１ａの上縁部
３１ｂの上下方向位置によって、オーバーフローラインＯＬの高さ位置が略決定されるも
ので、このオーバーフロー流入口３１ａを、前記マス排出口よりも上方位置に設けること
により、前記宅地内最終雨水マス１７内及び前記宅内集水経路１２内の前記各個別雨水マ
ス１６…及び塩ビ配管１８…内に、雨水を一定量貯留可能としている。
【００５７】
また、この実施例１のエルボ継手部材３０には、前記マス排出口１７ｂから突設される
前記基端２３ａに対して、装脱着可能に設けられる。
【００５８】
そして、このエルボ継手部材３０の下側外側面３０ｃで、前記マス排出口１７ｂの高さ
に適合するように、基端２３ａの底面部２３ｂ近傍には、前記マス本体１７ｃ内部空間方
向に向けて略水平に穿設されたオリフィス３０ｄが設けられている。
【００５９】
次に、この実施例１の住宅用雨水貯留システムの作用について説明する。
【００６０】
この実施例１の住宅用雨水貯留システムでは、降雨によって、前記住宅１３の屋根部１
５に降った雨水３…が、軒樋４…及び縦樋１９…内を伝って、住宅１３の外壁部に沿って
流下する。
【００６１】
前記縦樋１９内を流下した雨水は、前記個別雨水マス１６…に各々流入して、水位を上
昇させる。
【００６２】
この際、これらの個別雨水マス１６…に接続された前記塩ビ配管１８…の高さに水位が
到達すると、この塩ビ配管１８内でも、前記個別雨水マス１６…内に流入した雨水によっ
て水位が上昇して、前記宅地内最終雨水マス１７方向に雨水を流下させる。
【００６３】
前記宅地内最終雨水マス１７内では、これらの流入した雨水によって、雨水の貯留が開
始される。
【００６４】
この際の宅地内最終雨水マス１７内の水位は、前記各個別雨水マス１６…の水位と略同
じとなる。
【００６５】
このため、宅地１４内に一時貯留される雨水量は、前記宅地内最終雨水マス１７内の容
量に、前記各個別雨水マス１６…内の容量及び各塩ビ配管１８…内の容量を合わせた合計
容量となる。
【００６６】
しかも、前記宅地内最終雨水マス１７内に設けられた前記エルボ継手部材３０のオーバ
ーフロー流入口３１ａが、この宅地内最終雨水マス１７のマス排出口１７ｂよりも上方位
置で、しかも、上向きに開口して設けられている。
【００６７】
このため、この宅地内最終雨水マス１７内の雨水の水位は、このオーバーフロー流入口
３１ａの上縁部３１ｂに到達するまで、宅地内最終雨水マス１７内と、前記宅内集水経路
１２内の各個別雨水マス１６…及び容量及び各塩ビ配管１８…との内部に、一定量貯留さ
れる。
【００６８】
そして、水位がこの上縁部３１ｂに到達すると、雨水がこの上縁部３１ｂを乗り越えて
、前記エルボ継手部材３０内に流下する。
【００６９】
従って、降雨開始から時間をおいて、前記公共用雨水マス２１及び雨水本管２２へ、前
記塩ビ配管２３を介して、雨水が排水される。
【００７０】
このため、河川や下水道施設等の豪雨による急激な増水を緩和することができる。
【００７１】
また、このエルボ継手部材３０は、前記宅地内最終雨水マス１７のマス排出口１７ｂに
装着されるので、既設の宅内集水配管経路に用いる場合にも、前記宅内最終マス内の１カ
所のみに用いればよい。
【００７２】
この雨水の排水により、再び、前記宅地内最終雨水マス１７内の貯留量が、前記上縁部
３１ｂ位置まで、戻ると、このエルボ継手部材３０内への雨水の流下は停止される。
【００７３】
そして、前記宅地内最終雨水マス１７内に設けられた前記エルボ継手部材３０のオリフ
ィス３０ｄから、貯留された雨水が徐々に排水されるので、一定時間経過後は、前記宅地
内最終雨水マス１７内と、前記塩ビ配管１８…及び各個別雨水マス１６…内との雨水は、
このオリフィス３０ｄが形成された位置まで一定量、排水されて再度、雨水が流入する際
の貯留量が確保される。
【００７４】
また、前記エルボ継手部材３０が、前記マス排出口１７ｂに装脱着可能に設けられてい
るので、前記宅地内最終雨水マス１７にこのエルボ継手部材３０を嵌着させて装着するだ
けで、前記住宅１３の周囲に予め埋設される既設の前記宅内集水経路１２内の個別雨水マ
ス１６…及び塩ビ配管１８…を用いて、雨水を一定量貯留可能な貯留部を構成することが
出来る。
【００７５】
このため、別途、図２８に示すような従来の筒体９等を有する住宅用雨水貯留装置を地
中６に埋設する必要が無い。
【００７６】
しかも、この実施例１のエルボ継手部材３０は、通常の配管同士の連結に用いられるエ
ルボ継手部材をそのまま利用できる。
【００７７】
このため、安価に前記オーバーフロー部材が、構成出来ると共に、メンテナンスの際に
も、このエルボ継手部材３０を前記マス排出口１７ｂから取り外して、これらの宅地内最
終雨水マス１７の底面部近傍に堆積した交雑物の清掃や、このエルボ継手部材３０の前記
マス排出口１７ｂの高さに適合させて、基端２３ａの底面部２３ｂ近傍に、前記マス本体
１７ｃ内部空間方向に向けて略水平に穿設されたオリフィス３０ｄの清掃等も、容易に行
える。
【００７８】
従って、メンテナンス性が良好である。
【実施例２】
【００７９】
図５及び図６は、この発明の実施例２の住宅用雨水貯留システムを示すものである。な
お、前記実施例１と同一乃至均等な部分については同一符号を付して説明する。
【００８０】
まず、構成から説明すると、この実施例２では、オーバーフロー部材としてのエルボ継
手部材４０の排水側端縁４０ａ近傍の外周面には、シール用のゴム輪部材４１が、外嵌さ
れて固定されている。
【００８１】
また、宅内最終マスとしての宅地内最終雨水マス２７（塩化ビニル樹脂製）には、入水
側受口部２７ａ及び排水側受口部２７ｂが、各々外側方に一体に突設されていて、各々前
記宅内集水経路１２側の塩ビ配管１８の先端１８ａ及び、前記塩ビ排水管２３の基端２３
ａが、内嵌されて接続されている。
【００８２】
更に、この宅地内最終雨水マス２７の下側開口部２７ｄには、有底形状の泥溜め部２７
ｃが嵌着されている。
【００８３】
そして、この基端２３ａの内側面２３ｃに、前記エルボ継手部材４０の排水側端縁４０
ａ近傍の外周面のゴム輪部材４１が、内嵌されて装着されている。
【００８４】
次に、この実施例２の住宅用雨水貯留システムの作用について説明する。
【００８５】
この実施例２の住宅用雨水貯留システムでは、前記実施例１の作用効果に加えて、更に
、塩ビ排水管２３の基端２３ａの内側面２３ｃに、前記エルボ継手部材４０の排水側端縁
４０ａ近傍の外周面のゴム輪部材４１が、内嵌されて装着されている。  
【００８６】
このため、前記宅地内最終雨水マス２７の軸中心位置よりも、前記塩ビ排水管２３に、
容易に近接させて、前記エルボ継手部材４０を装着させることが出来、この宅地内最終雨
水マス２７内でのスペース効率を良好なものとすることができる。
【００８７】
他の構成、及び作用効果については、前記実施例１と略同様であるので、説明を省略す
る。
【実施例３】
【００８８】
図７及び図８は、この発明の実施例３の住宅用雨水貯留システムを示すものである。な
お、前記実施例１と同一乃至均等な部分については同一符号を付して説明する。
【００８９】
まず、構成から説明すると、この実施例３では、オーバーフロー部材としてのエルボ継
手部材５０の排水側端縁５０ａ近傍の外周面には、環状の３本の抜け止め突起５０ｂ…が
、一定間隔を置いて、一体に突設形成されている。
【００９０】
また、宅内最終マスとしての宅地内最終雨水マス２７には、入水側受口部２７ａ及び排
水側受口部２７ｂが、各々一体に設けられていて、各々前記宅内集水経路１２側の塩ビ配
管１８の先端１８ａ及び、前記塩ビ排水管２３の基端２３ａが、内嵌されて接続されてい
る。
【００９１】
更に、この宅地内最終雨水マス２７の下側開口部２７ｄには、有底形状の泥溜め部２７
ｃが嵌着されている。
【００９２】
そして、この基端２３ａの内側面２３ｃに前記エルボ継手部材５０の排水側端縁５０ａ
が、挿入されて装着される際に、前記各抜け止め突起５０ｂ…が、内嵌されて装着される
ように構成されている。
【００９３】
次に、この実施例３の住宅用雨水貯留システムの作用について説明する。
【００９４】
このように構成された実施例３の住宅用雨水貯留システムでは、前記塩ビ排水管２３の
基端２３ａの内側面２３ｃに、前記エルボ継手部材５０の排水側端縁５０ａが、挿入され
て装着される際に、前記各抜け止め突起５０ｂ…が、撓みながら弾性変形し、内嵌される
際に、各々内側面２３ｃに対して係止されて装着される。  
【００９５】
このため、更に、装着後の取付安定性が良好である。
【００９６】
他の構成、及び作用効果については、前記実施例１及び２と略同様であるので、説明を
省略する。
【実施例４】
【００９７】
図９及び図１０は、この発明の実施例４の住宅用雨水貯留システムに用いられるオーバ
ーフロー部材としてのエルボ継手部材６０を示すものである。なお、前記実施例１乃至３
と同一乃至均等な部分については同一符号を付して説明する。
【００９８】
まず、構成から説明すると、この実施例４のエルボ継手部材６０の下側外側面６０ｃに
は、穿設されたオリフィス６０ｄ形成位置の周縁に、交雑物の付着を防止する凸部として
の４個の弓状リブ部６０ｅ…が、放射溝状間隙６０ｆ…を各々介在させて、周状に並べら
れて突設形成されている。
【００９９】
次に、この実施例４の作用について説明する。
【０１００】
このように構成された実施例４の住宅用雨水貯留システムのエルボ継手部材６０では、
前記エルボ継手部材６０の下側外側面６０ｃに形成された弓状リブ部６０ｅ…によって、
交雑物が、付着しにくい。
【０１０１】
また、万一、交雑物が、前記オリフィス６０ｄの外側に付着しても、前記弓状リブ部６
０ｅ…が所定の高さを有しているので、この交雑物と、オリフィス６０ｄ周縁との間に間
隙が形成される。
【０１０２】
このため、前記各弓状リブ部６０ｅ，６０ｅ間に形成された放射溝状間隙６０ｆ…から
、前記宅地内最終雨水マス１７内に貯留された雨水が、オリフィス６０ｄを介して、前記
エルボ継手部材６０内に流入可能であるので、オリフィス６０ｄの機能が損なわれる虞が
無い。
【０１０３】
他の構成、及び作用効果については、前記実施例１乃至３と略同様であるので、説明を
省略する。
【実施例５】
【０１０４】
図１１及び図１２は、この発明の実施例５の住宅用雨水貯留システムに用いられるオー
バーフロー部材としてのエルボ継手部材７０を示すものである。なお、前記実施例１乃至
４と同一乃至均等な部分については同一符号を付して説明する。
【０１０５】
まず、構成から説明すると、この実施例５のエルボ継手部材７０の下側外側面７０ｃに
は、穿設されたオリフィス６０ｄ形成位置の周縁に、交雑物の付着を防止する凸部として
の複数の山状突起部７０ｅ…が、間隙７０ｆ…を各々介在させて、周状に並べられて突設
形成されている。
【０１０６】
次に、この実施例５の作用について説明する。
【０１０７】
このように構成された実施例５の住宅用雨水貯留システムのエルボ継手部材７０では、
前記エルボ継手部材７０の下側外側面７０ｃに形成された山状突起部７０ｅ…の各先端部
が、交雑物に点接触するので、交雑物が、付着しにくい。
【０１０８】
また、万一、交雑物が、前記オリフィス６０ｄの外側に付着しても、前記山状突起部７
０ｅ…が所定の高さを有しているので、この交雑物と、オリフィス６０ｄ周縁との間に間
隙が形成される。
【０１０９】
このため、前記各山状突起部７０ｅ，７０ｅ間の間隙から、前記宅地内最終雨水マス１
７内に貯留された雨水が、オリフィス６０ｄを介して、前記エルボ継手部材７０内に流入
可能であるので、オリフィス６０ｄの機能が損なわれる虞が無い。
【０１１０】
他の構成、及び作用効果については、前記実施例１乃至４と略同様であるので、説明を
省略する。
【実施例６】
【０１１１】
図１３及び図１４は、この発明の実施例６の住宅用雨水貯留システムを示すものである
。なお、前記実施例１乃至５と同一乃至均等な部分については同一符号を付して説明する
。
【０１１２】
まず、構成から説明すると、この実施例６の住宅用雨水貯留システムでは、前記塩ビ排
水管２３の基端２３ａに内嵌されて装着される前記エルボ継手部材４０の入水側開口部４
０ｂ周縁には、宅地内最終雨水マス１７（ポリプロピレン樹脂製、塩化ビニル樹脂製、コ
ンクリート製の何れでも良い）の内側面１７ｆ，１７ｆとの間に、バネ部材４２，４２が
介在されて、支持されている。
【０１１３】
このバネ部材４２は、バネ本体４２ａの左右両側に一対のゴム当接部材４２ｂ，４２ｂ
が固定されて、主に構成されている。
【０１１４】
次に、この実施例６の住宅用雨水貯留システムの作用について説明する。
【０１１５】
この実施例６の住宅用雨水貯留システムでは、前記実施例１乃至５の作用効果に加えて
、更に、前記エルボ継手部材４０の入水側開口部４０ｂ周縁の相互に反対側に位置する両
側面と、宅地内最終雨水マス１７の対向する内側面１７ｆ，１７ｆとの間に、２本のバネ
部材４２，４２が、介在されると、この入水側開口部４０ｂの周縁は、これらのバネ部材
４２，４２のバネ本体４２ａ，４２ａの弾性反発力によって、左，右側から押圧されて支
持され、このエルボ継手部材４０が、前記宅地内最終雨水マス１７内の略中央位置に固定
される。
【０１１６】
このため、取付安定性が良好であると共に、エルボ継手部材４０の回転が防止される。
又、装着時にも、前記バネ部材４２を、入水側開口部４０ｂ周縁と、宅地内最終雨水マス
１７の内側面１７ｆとの間に、介在させるだけで、装着が完了すると共に、前記エルボ継
手部材４０を取り外す際にも、入水側開口部４０ｂ周縁と、宅地内最終雨水マス１７の内
側面１７ｆとの間から、前記バネ部材４２，４２を取り外すことにより、容易に作業が行
える。
【０１１７】
従って、装脱着作業性が良好である。
【０１１８】
他の構成、及び作用効果については、前記実施例１乃至５と略同様であるので、説明を
省略する。
【実施例７】
【０１１９】
図１５び図１６は、この発明の実施例７の住宅用雨水貯留システムを示すものである。
なお、前記実施例１乃至６と同一乃至均等な部分については同一符号を付して説明する。
【０１２０】
まず、構成から説明すると、この実施例７では、前記塩ビ排水管２３の基端２３ａに内
嵌されて装着される前記エルボ継手部材４０の入水側開口部４０ｂ周縁には、宅地内最終
雨水マス１７の内側面１７ｆ，１７ｆとの間に、ネジ部材４３，４３が介在されて、支持
されている。
【０１２１】
このネジ部材４３は、雄ネジ本体４３ａの左右両側に一対のゴム製雌ネジ部材４３ｂ，
４３ｂが螺合されて、螺合量の変更によって、長手方向長さが、調整可能となるように構
成されている。
【０１２２】
次に、この実施例７の住宅用雨水貯留システムの作用について説明する。
【０１２３】
この実施例７の住宅用雨水貯留システムでは、前記実施例１乃至６の作用効果に加えて
、更に、前記エルボ継手部材４０の入水側開口部４０ｂ周縁の相互に反対側に位置する両
側面と、宅地内最終雨水マス１７の対向する内側面１７ｆ，１７ｆとの間に、各々２本の
ネジ部材４３，４３を、介在させて、前記雄ネジ本体４３ａと、左右両側のゴム製雌ネジ
部材４３ｂ，４３ｂとの間を回転させると、このネジ部材４３が伸張する。
【０１２４】
このため、この入水側開口部４０ｂの周縁が、これらのネジ部材４３，４３の押圧力に
よって、左，右側から押圧されて固定され、このエルボ継手部材４０が、前記宅地内最終
雨水マス１７内の所望の位置に装着される。
【０１２５】
このため、取付安定性が良好であると共に、エルボ継手部材４０の回転が防止される。
又、装着時にも、前記ネジ部材４３を、入水側開口部４０ｂ周縁と、宅地内最終雨水マス
１７の内側面１７ｆとの間に、介在させるだけで、装着が完了すると共に、前記エルボ継
手部材４０を取り外す際にも、入水側開口部４０ｂ周縁と、宅地内最終雨水マス１７の内
側面１７ｆとの間から、前記ネジ部材４３，４３を取り外すことにより、容易に作業が行
える。
【０１２６】
従って、装脱着作業性が良好である。
【０１２７】
他の構成、及び作用効果については、前記実施例１乃至６と略同様であるので、説明を
省略する。
【実施例８】
【０１２８】
図１７及び図１８は、この発明の実施例８の住宅用雨水貯留システムを示すものである
。なお、前記実施例１乃至７と同一乃至均等な部分については同一符号を付して説明する
。
【０１２９】
まず、構成から説明すると、この実施例８では、前記塩ビ排水管２３の基端２３ａに内
嵌されて装着される前記エルボ継手部材４０の入水側開口部４０ｂ周縁には、宅地内最終
雨水マス１７の内側面１７ｆ，１７ｆとの間に、固定用大網部材４４が介在されて、支持
されている。
【０１３０】
この固定用大網部材４４は、略平板状を呈すると共に、略正方形形状の複数の開口部４
４ａ，４４ａが、碁盤目状に配列されて、主に構成されている。
【０１３１】
次に、この実施例８の住宅用雨水貯留システムの作用について説明する。
【０１３２】
このように構成された実施例８の住宅用雨水貯留システムは、前記実施例１乃至７の作
用効果に加えて、更に、固定用大網部材４４が、前記塩ビ排水管２３の基端２３ａに内嵌
されて装着される前記エルボ継手部材４０の入水側開口部４０ｂ周縁と、宅地内最終雨水
マス１７の内側面１７ｆ，１７ｆとの間に、介在されて、このエルボ継手部材４０が支持
される。
【０１３３】
この固定用大網部材４４に、碁盤目状を呈して配列形成された略正方形形状の複数の開
口部４４ａ，４４ａが、前記宅地内最終雨水マス１７内に貯留された雨水を上下方向に挿
通させる。
【０１３４】
また、このエルボ継手部材４０の支持に、別途支持部材を用いる必要が無いので、部品
点数が削減されて、製造コストの増大が抑制されると共に、エルボ継手部材４０の回転が
防止される。
【０１３５】
他の構成、及び作用効果については、前記実施例１乃至７と略同様であるので、説明を
省略する。
【実施例９】
【０１３６】
図１９乃至図２１は、この発明の実施例９の住宅用雨水貯留システムを示すものである
。なお、前記実施例１乃至８と同一乃至均等な部分については同一符号を付して説明する
。
【０１３７】
まず、構成から説明すると、この実施例９のオーバーフロー部材としてのエルボ継手部
材８０には、下側外側面８０ａに穿設形成されるオリフィス８０ｂの貫通方向が、上下方
向に沿う縦方向として構成されている。
【０１３８】
また、このオリフィス８０ｂには、清掃用針金部材８１の下端部８１ａが、上下方向に
沿って、挿抜可能に構成されている。
【０１３９】
この清掃用針金部材８１には、この下端部８１ａに連設されて、円環状を呈する係止部
８１ｂが形成されていて、図２０及び図２１に示されるように、前記エルボ継手部材８０
の入水側開口部８０ｃの周縁に係止されて保持されるように構成されている。
【０１４０】
更に、この清掃用針金部材８１には、係止部８１ｂから上方に向けて突設される把持部
８１ｃが設けられていて、作業者が、この把持部８１ｃを摘んで、清掃作業を行えるよう
に構成されている。
【０１４１】
次に、この実施例９の住宅用雨水貯留システムの作用について説明する。
【０１４２】
このように構成された実施例９の住宅用雨水貯留システムは、前記実施例１乃至７の作
用効果に加えて、更に、メンテナンス時に、前記清掃用針金部材８１の把持部８１ｃを、
作業者が摘んで、前記下端部８１ａを、前記エルボ継手部材８０に開口形成されたオリフ
ィス８０ｂ内で、挿抜する。
【０１４３】
このオリフィス８０ｂ内に詰まった交雑物や或いは、下側外側面８０ａに付着した交雑
物は、この下端部８１ａの挿抜によって落下して、清掃が行われる。
【０１４４】
このため、前記エルボ継手部材８０を前記宅地内最終雨水マス１７等内から取り外さな
くても、清掃が、地表の作業者によって行えるので、作業性が良好である。
【０１４５】
また、清掃作業後は、図２０及び図２１に示すように、この清掃用針金部材８１の円環
状を呈する係止部８１ｂが、前記エルボ継手部材８０の入水側開口部８０ｃの周縁に係止
されて保持される。
【０１４６】
このため、前記宅地内最終雨水マス１７の開口部１７ｅを、前記実施例１の図１中二点
鎖線で示すように、蓋体２５で閉塞することにより、外部から見えにくい位置に収納出来
る。
【０１４７】
従って、外観品質が良好であると共に、この清掃用針金部材８１の紛失等の虞が減少す
る。
【０１４８】
更に、この清掃用針金部材８１が収納された状態では、図２０に示すように、前記下端
部８１ａが、前記オリフィス８０ｂから、下側外側面８０ａよりも先端を下方に位置させ
るように突出されている。
【０１４９】
このため、交雑物が、このオリフィス８０ｂ周囲の下側外側面８０ａに付着しにくい。
【０１５０】
他の構成、及び作用効果については、前記実施例１乃至８と略同様であるので、説明を
省略する。
【実施例１０】
【０１５１】
図２２及び図２３は、この発明の実施例１０の住宅用雨水貯留システムに用いられるオ
ーバーフロー部材としてのエルボ継手部材９０を示すものである。なお、前記実施例１乃
至９と同一乃至均等な部分については同一符号を付して説明する。
【０１５２】
まず、構成から説明すると、この実施例１０のエルボ継手部材９０では、外側面９０ａ
のうち、下面側から側面側に渡り、上下方向に並んで、外側面９０ａに３つの径の異なる
オリフィス９０ｂ，９０ｃ，９０ｄが穿設形成されている。
【０１５３】
そして、これらのオリフィス９０ｂ，９０ｃ，９０ｄのうち、１つ又は２つが、図示省
略の蓋部材を嵌着させることにより閉塞されるように構成されている。
【０１５４】
次に、この実施例１０の住宅用雨水貯留システムの作用について説明する。
【０１５５】
このように構成された実施例１０の住宅用雨水貯留システムでは、蓋部材が嵌着される
ことにより、これらのオリフィス９０ｂ，９０ｃ，９０ｄのうち、１つ又は２つが、図示
省略の蓋部材を嵌着させることにより閉塞されると、開放されている他のオリフィス９０
ｂ，９０ｃ，９０ｄのうち、少なくとも１つを介して、前記宅地内最終雨水マス１７等内
に貯留された雨水がエルボ継手部材９０内に流入する。
【０１５６】
各オリフィス９０ｂ，９０ｃ，９０ｄは、外側面９０ａのうち、下面側から側面側に渡
り、上下方向に並んで、形成されているので、１つ又は２つが閉塞された残りの開放され
ている他のオリフィス９０ｂ，９０ｃ，９０ｄの高さ位置を選択可能である。
【０１５７】
このため、前記宅地内最終雨水マス１７内の貯留水位を調整出来る。
【０１５８】
他の構成、及び作用効果については、前記実施例１乃至９と略同様であるので、説明を
省略する。
【実施例１１】
【０１５９】
図２４及び図２５は、この発明の実施例１１の住宅用雨水貯留システムに用いられるオ
ーバーフロー部材としてのエルボ継手部材１００を示すものである。なお、前記実施例１
乃至１０と同一乃至均等な部分については同一符号を付して説明する。
【０１６０】
まず、構成から説明すると、この実施例１１のエルボ継手部材１００では、外側面１０
０ａの下面側から、オリフィスを構成するフレキシブルホース１０１が、内外を貫通する
ように略水平に延設されて、固定されている。
【０１６１】
この実施例１１では、宅地内最終雨水マス１７内で、この外側面１００ａの下面側から
、突設されたフレキシブルホース１０１の突設部１０１ｂに、前記マス流入口１７ａに接
続された前記宅内集水経路１２側の塩ビ配管１８の先端１８ａから流入する雨水が、当接
する位置に設けられている。
【０１６２】
次に、この実施例１１の住宅用雨水貯留システムの作用について説明する。
【０１６３】
このように構成された実施例１１の住宅用雨水貯留システムでは、前記実施例１乃至１
０の作用効果に加えて、更に、オリフィスを構成するフレキシブルホース１０１が、内外
を貫通するように略水平に延設されて、固定されていて、外側面から一部を突設させてい
る。
【０１６４】
このため、交雑物が、このフレキシブルホース１０１の固定位置周縁の下側外側面１０
０ａに付着することが無い。
【０１６５】
また、このフレキシブルホース１０１の先端開口部周縁に交雑物が付着した場合でも、
このフレキシブルホース１０１の突設部１０１ｂ位置が、前記マス流入口１７ａに接続さ
れた前記宅内集水経路１２側の塩ビ配管１８の先端１８ａから流入する雨水が、当接する
位置に設定されているので、この流入した雨水によって、このフレキシブルホース１０１
が揺動して、交雑物を落下させる。
【０１６６】
従って、このフレキシブルホース１０１が、目詰まりする虞が減少して、オリフィス機
能が損なわれる虞が少ない。
【０１６７】
他の構成、及び作用効果については、前記実施例１乃至１０と略同様であるので、説明
を省略する。
【実施例１２】
【０１６８】
図２６及び図２７は、この発明の実施例１２の住宅用雨水貯留システムに用いられるオ
ーバーフロー部材としてのエルボ継手部材１１０を示すものである。なお、前記実施例１
乃至１１と同一乃至均等な部分については同一符号を付して説明する。
【０１６９】
まず、構成から説明すると、この実施例１２のエルボ継手部材１１０では、入水側受口
部１１０ａの内側面に、雌ネジ部１１０ｂが形成されている。
【０１７０】
この雌ネジ部１１０ｂには、上方から外周面１１１ａに、この雌ネジ部１１１ｂと螺合
される雄ネジ部１１１ｂが形成されたオーバーフロー位置調整手段としてのオーバーフロ
ー管体１１１が、連設されて構成されている。
【０１７１】
このオーバーフロー管体１１１のオーバーフロー流入口では、上端縁１１１ｃの高さ方
向位置を変更することにより、前記宅地内最終雨水マス１７内及び前記宅内集水経路１２
内の貯留量が調整されるように構成されている。
【０１７２】
次に、この実施例１２の住宅用雨水貯留システムの作用について説明する。
【０１７３】
このように構成された実施例１２の住宅用雨水貯留システムのエルボ継手部材１１０で
は、前記実施例１乃至７の作用効果に加えて、更に、前記オーバーフロー管体１１１を回
転させて、前記エルボ継手部材１１０の入水側受口部１１０ａの内側面に形成された雌ネ
ジ部１１０ｂの螺合量を変更することにより、前記オーバーフロー管体１１１の上端縁１
１１ｃの高さ方向位置を変更出来る。
【０１７４】
このため、宅地内最終雨水マス１７内でのオーバーフローラインＯＬの高さ位置を、任
意の位置とすることが出来、オーバーフローするまでの宅地内最終雨水マス１７内及び前
記宅内集水経路１２内の水位が調整されて、一時貯留量を変更出来る。
【実施例１３】
【０１７５】
図２８は、この発明の実施例１３の住宅用雨水貯留システムに用いられるオーバーフロ
ー部材としての可撓性オーバーフロー部材１２０を示すものである。なお、前記実施例１
乃至１２と同一乃至均等な部分については同一符号を付して説明する。
【０１７６】
まず、構成から説明すると、この実施例１３の可撓性オーバーフロー部材１２０では、
管本体１２０ａが、可撓性を有すると共に、可撓された状態で、所望の形状が保持される
フレキシブル管材によって主に構成されている。
【０１７７】
この管本体１２０ａの一端部には、前記マス排水口１７ｂ周縁に嵌着される固定リング
部１２０ｂが設けられていて、外周面に、実施例３と略同様に、環状の抜け止め突起５０
ｂ…が、一定間隔を置いて、複数本、突設形成されている。
【０１７８】
また、この管本体１２０ａの他端側には、上方に向けて開口するように、オーバーフロ
ーリング部材１２０ｃが設けられている。
【０１７９】
次に、この実施例１３の住宅用雨水貯留システムの作用について説明する。
【０１８０】
このように構成された実施例１３の住宅用雨水貯留システムの可撓性オーバーフロー部
材１２０では、前記可撓性オーバーフロー部材１２０の管本体１２０ａが、フレキシブル
管体を用いて構成されている。
【０１８１】
このため、既存の宅地内最終雨水マス１７の形状や寸法に合わせて、この管本体１２０
ａの形状を屈曲変形させたり、伸縮させて、適合させることにより、様々な形状や寸法の
既設の宅地内最終雨水マス１７に用いることができる。
【０１８２】
他の構成、及び作用効果については、前記実施例１乃至１２と略同様であるので、説明
を省略する。
【０１８３】
以上、図面を参照して、本発明の実施の形態及び実施例１乃至１３を詳述してきたが、
具体的な構成は、この実施の形態に限らず、本発明の要旨を逸脱しない程度の設計的変更
は、本発明に含まれる。
【０１８４】
即ち、前記実施の形態では、オーバーフロー部材として、エルボ継手部材３０等を用い
たものを示して説明してきたが、特にこれに限らず、例えば、３方チーズ管等の一つの開
口部を閉塞して、オリフィスを穿設形成する等、継手形状部材を用いたもの等であっても
よく、宅内最終マス内に設けられて、オーバーフロー流入口をマス排出口よりも上方位置
に位置させることにより、該宅内最終マス内及び前記宅内集水経路内に、雨水を一定量貯
留可能なものであれば、どのような形状、数量及び材質であってもよい。  
【０１８５】
また、前記実施例３では、直管状に形成されたエルボ継手部材５０の排水側端縁５０ａ
近傍の外周面に、環状の３本の抜け止め突起５０ｂ…が、一定間隔を置いて、一体に突設
形成されているが、特にこれに限らず、排水側端縁５０aの管形状を、テーパー形状とし
たり、或いは、環状の３本の抜け止め突起５０ｂ…の本数を２本或いは４本以上の複数本
にする等、前記マス排出口及びその周辺に装着される部分の装脱着性及び取付後の安定性
を更に、良好なものとしてもよい。
【０１８６】
更に、前記宅内最終マスとしての宅地内最終雨水マス１７及び、入水側受口部２７ａ及
び排水側受口部２７ｂが、各々外側方に一体に突設されている前記宅地内最終雨水マス２
７等を用いて説明してきたが、特にこれに限らず、例えば、雨水マスではない集水マスや
、細孔が形成された浸透マス部を有する集水マス等、宅内最終マスであれば、形状、受口
部の数量が特に限定されるものではないと共に、ポリプロピレン製、塩ビ製、又はコンク
リート製等、どのような材質で構成されていても良く、公共下水に排水するマス排水口を
有するものであればよい。
【０１８７】
そして、実施例６，７に示された一対のバネ部材４２，４２及びネジ部材４３，４３に
代えて、エルボ継手部材４０の入水側開口部４０ｂの周壁に、貫通される支持棒部材の両
端若しくは一端に、前記バネ本体４２ａ又は雄ネジ本体４３ａと螺合するゴム製雌ネジ部
材４３ｂを設けて、対向する内側面１７ｆ，１７ｆ間に、この支持棒部材を張設してもよ
い。
【図面の簡単な説明】
【０１８８】
【図１】この発明の実施の形態の実施例１の住宅用雨水貯留システムで、要部の構成を説明する宅地内最終雨水マスの地中埋設部分の縦断面図である。
【図２】実施例１の住宅用雨水貯留システムで、全体の構成を説明する宅地内建物周縁の地中内の断面図である。
【図３】実施例１の住宅用雨水貯留システムで、全体の構成を説明する宅地内建物周縁の模式的な一部断面斜視図である。
【図４】実施例１の住宅用雨水貯留システムで、建物周縁の模式的な平面図である。
【図５】実施例２の住宅用雨水貯留システムに用いられるエルボ継手部材の構成を説明する斜視図である。
【図６】実施例２の住宅用雨水貯留システムで、エルボ継手部材を用いた宅地内最終雨水マスの構成を説明する断面図である。
【図７】実施例３の住宅用雨水貯留システムに用いられるエルボ継手部材の構成を説明する斜視図である。
【図８】実施例３の住宅用雨水貯留システムで、エルボ継手部材を用いた宅地内最終雨水マスの構成を説明する断面図である。
【図９】実施例４の住宅用雨水貯留システムに用いられるエルボ継手部材の構成を説明する斜視図である。
【図１０】実施例４の住宅用雨水貯留システムで、エルボ継手部材のオリフィス部周縁の正面図である。
【図１１】実施例５の住宅用雨水貯留システムに用いられるエルボ継手部材の構成を説明する斜視図である。
【図１２】実施例５の住宅用雨水貯留システムで、エルボ継手部材のオリフィス部周縁の正面図である。
【図１３】実施例６の住宅用雨水貯留システムに用いられる宅地内最終雨水マスの上部の開口部が、開放された状態での上面図である。
【図１４】実施例の住宅用雨水貯留システムで、要部の構成を説明する宅地内最終雨水マス内の斜視図である。
【図１５】実施例７の住宅用雨水貯留システムに用いられる宅地内最終雨水マスの上部の開口部が、開放された状態での上面図である。
【図１６】実施例７の住宅用雨水貯留システムで、要部の構成を説明する宅地内最終雨水マス内の斜視図である。
【図１７】実施例８の住宅用雨水貯留システムに用いられる宅地内最終雨水マスの上部の開口部が、開放された状態での上面図である。
【図１８】実施例８の住宅用雨水貯留システムで、要部の構成を説明する図１７中Ａ−Ａ線に沿った位置での宅地内最終雨水マスの断面図である。
【図１９】実施例９の住宅用雨水貯留システムに用いられるエルボ継手部材の構成を説明する分解斜視図である。
【図２０】実施例９の住宅用雨水貯留システムに用いられるエルボ継手部材の構成を説明する斜視図である。
【図２１】実施例９の住宅用雨水貯留システムで、エルボ継手部材を用いた宅地内最終雨水マスの縦断面図である。
【図２２】実施例１０の住宅用雨水貯留システムに用いられるエルボ継手部材の斜視図である。
【図２３】実施例１０の住宅用雨水貯留システムに用いられるエルボ継手部材で、下側外側面の斜視図である。
【図２４】実施例１１の住宅用雨水貯留システムに用いられるエルボ継手部材の斜視図である。
【図２５】実施例１１の住宅用雨水貯留システムに用いられるエルボ継手部材の斜視図である。
【図２６】実施例１２の住宅用雨水貯留システムに用いられるエルボ継手部材の斜視図である。
【図２７】実施例１２の住宅用雨水貯留システムに用いられるエルボ継手部材で、図２６中Ｂ−Ｂ線に沿った位置での断面図である。
【図２８】実施例１３の住宅用雨水貯留システムに用いられるエルボ継手部材の斜視図である。
【図２９】従来例の住宅用雨水貯留装置で、建物と地中内との構成を説明する模式的な一部断面図で、（ａ）は、縦断面図、（ｂ）は、延設方向に沿った位置での断面図である。
【符号の説明】
【０１８９】
１３          住宅（建物）
１４          宅地
１５          屋根部
宅内集水経路
１６          個別雨水マス
１８          塩ビ配管
１７，２７    宅地内最終雨水マス（宅内最終マス）
１７ａ        マス流入口
１７ｂ        マス排出口
２１          公共用雨水マス（公共下水）
３０，４０，５０，６０，７０，８０，９０，１００，１１０
エルボ継手部材（オーバーフロー部材）
１１１        オーバーフロー管体（オーバーフロー位置調整手段）
１２０        可撓性オーバーフロー部材       
【図１】
2006063761.tif 000003
【図２】
2006063761.tif 000004
【図３】
2006063761.tif 000005
【図４】
2006063761.tif 000006
【図５】
2006063761.tif 000007
【図６】
2006063761.tif 000008
【図７】
2006063761.tif 000009
【図８】
2006063761.tif 000010
【図９】
2006063761.tif 000011
【図１０】
2006063761.tif 000012
【図１１】
2006063761.tif 000013
【図１２】
2006063761.tif 000014
【図１３】
2006063761.tif 000015
【図１４】
2006063761.tif 000016
【図１５】
2006063761.tif 000017
【図１６】
2006063761.tif 000018
【図１７】
2006063761.tif 000019
【図１８】
2006063761.tif 000020
【図１９】
2006063761.tif 000021
【図２０】
2006063761.tif 000022
【図２１】
2006063761.tif 000023
【図２２】
2006063761.tif 000024
【図２３】
2006063761.tif 000025
【図２４】
2006063761.tif 000026
【図２５】
2006063761.tif 000027
【図２６】
2006063761.tif 000028
【図２７】
2006063761.tif 000029
【図２８】
2006063761.tif 000030
【図２９】
2006063761.tif 000031